(57)【要約】      （修正有）【課題】照明専用スイッチ切替主電源網からの供給に接続可能な照明器具を提供する。【解決手段】照明器具２００は、主電源網２２０に接続された照明器具光エンジン２１０と、バッテリ２４０が暗い時間の間に充電されるように主電源にも接続されたＡＣ／ＤＣ降圧コンバータ２３０とを含む。バッテリ２４０は、昼間の時間および暗い時間の間の両方で動作可能なＤＣ非照明関連負荷２５０に電力を提供するように接続される。【選択図】図２
0003217804.tif 000002
【実用新案登録請求の範囲】
【請求項１】
照明器具内の少なくとも１つの非照明関連負荷に電力を供給する方法であって、前記照明器具が、少なくとも暗い時間の間にスイッチオンされ、昼間の時間の間にはスイッチオフされる照明専用スイッチ切替主電源網（lighting dedicated switched mains network）に接続され、当該方法が、
ａ）エネルギー貯蔵装置を、それがスイッチオンされたときに前記照明専用スイッチ切替主電源網によって提供された電源から充電するステップと、
ｂ）前記エネルギー貯蔵装置からのエネルギー供給を、昼間の時間の間、前記少なくとも１つの非照明関連負荷のために使用するステップと、
を含む、方法。
【請求項２】
前記照明専用スイッチ切替主電源網からの前記電源を降圧変換するステップをさらに含み、ステップａ）が、前記エネルギー貯蔵装置を充電するために、前記降圧変換された電源を使用することを含む、請求項１に記載の方法。
【請求項３】
ステップｂ）が、前記少なくとも１つの非照明関連負荷のために、前記エネルギー貯蔵装置から直接、エネルギー供給を使用することを含む、請求項２に記載の方法。
【請求項４】
前記少なくとも１つの非照明関連負荷が、ＤＣ負荷を含む、請求項３に記載の方法。
【請求項５】
前記エネルギー貯蔵装置からの前記エネルギー供給を昇圧変換するステップをさらに含み、ステップｂ）が、前記昇圧変換された供給を前記少なくとも１つの非照明関連負荷のために使用することを含む、請求項２〜４のいずれか一項に記載の方法。
【請求項６】
前記少なくとも１つの非照明関連負荷が、ＡＣ負荷を含む、請求項５に記載の方法。
【請求項７】
照明専用スイッチ切替主電源網からの供給に接続可能な照明器具であって、
前記照明専用スイッチ切替主電源網とともに、少なくとも暗い時間の間にはオンに、昼間の時間の間にはオフに切り替えられるように構成された照明器具光エンジンと、
前記照明専用スイッチ切替主電源網からの前記供給に接続可能な少なくとも１つのエネルギー貯蔵装置と、
前記照明専用スイッチ切替主電源網からの前記供給を前記少なくとも１つのエネルギー貯蔵装置と適合する充電電源に変換するための第１のコンバータと、
前記少なくとも１つのエネルギー貯蔵装置に接続可能であり、前記少なくとも１つのエネルギー貯蔵装置からのエネルギーを使用して、昼間の時間の間に動作するように構成された少なくとも１つの非照明関連負荷と、
を含む、照明器具。
【請求項８】
前記少なくとも１つの非照明関連負荷が、少なくとも１つのＤＣ負荷を含む、請求項７に記載の照明器具。
【請求項９】
前記エネルギー貯蔵装置からのエネルギー供給を前記少なくとも１つの非照明関連負荷のために変換するための第２のコンバータをさらに含む、請求項７または８に記載の照明器具。
【請求項１０】
前記少なくとも１つの非照明関連負荷が、少なくとも１つのＡＣ負荷を含む、請求項９に記載の照明器具。
【考案の詳細な説明】
【技術分野】
【０００１】
本考案は、照明器具におけるまたはそれらに関する改善に関するものであり、より詳しくは、かかる照明器具に関連する非照明関連負荷のための電力の提供に関する。
【背景技術】
【０００２】
別様に街灯として知られている屋外照明器具は、夜間に照明が必要な街路、舗装道路（pavement）、および他の領域のための照明を提供するように位置決めされる。かかる照明器具は、各照明器具が暗い時間帯に点灯され、昼間の時間の間は電力が照明器具に供給されないよう、昼間の時間帯には消灯されるように、照明専用スイッチ切替主電源網（lighting dedicated switched mains network）に接続される。
【０００３】
最新の屋外照明環境では、追加機能、例えば、照明専用スイッチ切替主電源網がスイッチオフされている昼間の時間の間に電力供給される必要があるセンサ、カメラ、トランスミッタなどの非照明関連負荷が必要とされる場合がある。
【０００４】
特許文献１には、防犯カメラに関連した運動センサおよび携帯電話のための充電ポイントなどの非照明関連負荷を含む屋外照明器具が記載されている。照明器具が消灯されている日中に電力が供給されるように、バッテリが非照明関連負荷のための電源として使用される。バッテリは、昼間の時間の間に充電することができるようにソーラーパネルに接続され、非照明関連負荷のための電力を提供するために使用可能である。
【０００５】
特許文献２には、太陽が照っている間に、ソーラーパネルを使用してバッテリを充電する照明器具のための電力システムが記載されており、バッテリからの貯蔵エネルギーがＤＣ照明関連負荷およびＤＣ非照明関連負荷の両方に電力供給するために使用される。加えて、主電源からのＡＣ供給を使用して、非照明関連負荷と同様に、従来のようにＡＣ照明関連負荷に電力供給することができる。
【０００６】
特許文献３には、エネルギー効率の良い太陽光発電式屋外照明システムであって、その中で照明器具の支持ポール上に取り付けられたソーラーパネルが、照明器具の基部または照明器具の下に収容されたバッテリ内に貯蔵される電気を生成し、かつそこからバッテリエネルギーが非照明用途、例えば、夜間に発光ダイオード素子に電力供給するために提供され得る、太陽光発電式屋外照明システムが記載されている。代替的に、バッテリを別の好適な場所に位置決めし、地下配線によって照明器具に接続することができる。バッテリからの電力は、非照明機能、例えば、セキュリティシステムのカメラならびに／またはレコーダ、無線ネットワークラジオ、運動センサ、およびフォトセルに電力供給するために使用することができるのと同様に、ピークの電力使用量の時間の間にグリッドを補うために使用することができる。
【先行技術文献】
【特許文献】
【０００７】
【特許文献１】特開２０１０−２７２４９５号公報
【特許文献２】インド国特許出願第２０１０ＤＥＬ／０２９９６号明細書
【特許文献３】国際公開第２０１０／０５７１３８号
【考案の概要】
【考案が解決しようとする課題】
【０００８】
バッテリの使用は非照明関連負荷のためのエネルギーを提供するためにされることが知られているが、かかるバッテリは、電力グリッドからの電力が事実上スイッチオフされる昼間の時間の間にバッテリを充電することができるように、ソーラーエネルギーなどの比較的高価な代替エネルギーに頼る傾向がある。
【０００９】
したがって、電力グリッドからの電力がスイッチオフされる時間の間、例えば、昼間の時間に、ソーラーエネルギーシステム、圧電システムおよび熱電システムを使用したエネルギーハーベスティング、ならびに風力タービンなどの高価な代替エネルギーシステムを実装することなしに、非照明関連負荷のための電力を提供することができる必要性がある。
【００１０】
したがって、本考案の目的は、照明器具が昼間以外の時間または暗い時間の間にスイッチオンされている間に、専用の照明スイッチ切替主電源網から充電することができるエネルギー貯蔵装置を組み込んだ照明器具であって、照明器具がスイッチオフされている昼間の時間の間に非照明関連負荷に電力供給するために、貯蔵エネルギーを使用する、照明器具を提供することである。
【課題を解決するための手段】
【００１１】
本考案の一態様によれば、照明器具内の少なくとも１つの非照明関連負荷に電力を供給する方法であって、照明器具が、少なくとも暗い時間の間にスイッチオンされ、昼間の時間の間にはスイッチオフされる照明専用スイッチ切替主電源網に接続され、その方法が、
ａ）エネルギー貯蔵装置を、それがスイッチオンされたときに照明専用スイッチ切替主電源網によって提供された電源から充電するステップと、
ｂ）エネルギー貯蔵装置からのエネルギー供給を、昼間の時間の間、少なくとも１つの非照明関連負荷のために使用するステップと、を含む方法が提供される。
【００１２】
夜間に使用可能な主電源網からの供給を使用してエネルギー貯蔵装置を充電することによって、昼間の時間の間に非照明関連負荷にエネルギーを供給するために、上記のような高価な代替エネルギーハーベスティング方法に頼る必要がなくなる。
【００１３】
一実施形態では、本方法は、照明専用スイッチ切替主電源網からの電源を降圧変換するステップをさらに含み、ステップａ）が、エネルギー貯蔵装置を充電するために、降圧変換された電源を使用することを含む。
【００１４】
このようにして、少なくとも１つの非照明関連負荷のために、エネルギー貯蔵装置から直接、エネルギー供給を使用することができる。この場合、非照明関連負荷は、ＤＣ負荷を含むことができる。
【００１５】
別の実施形態では、本方法は、エネルギー貯蔵装置からのエネルギー供給を昇圧変換することをさらに含むことができ、ステップｂ）が、昇圧変換された供給を少なくとも１つの非照明関連負荷のために使用することを含む。
【００１６】
これは、少なくとも１つの非照明関連負荷がＡＣ負荷を含む事例である。
【００１７】
本考案の別の態様によれば、照明専用スイッチ切替主電源網からの供給に接続可能な照明器具であって、
照明専用スイッチ切替主電源網とともに、少なくとも暗い時間の間にはオンに、昼間の時間の間にはオフに切り替えられるように構成された照明器具光エンジンと、
照明専用スイッチ切替主電源網からの供給に接続可能な少なくとも１つのエネルギー貯蔵装置と、
照明専用スイッチ切替主電源網からの供給を、少なくとも１つのエネルギー貯蔵装置と適合する充電電源に変換するための第１のコンバータと、
少なくとも１つのエネルギー貯蔵装置に接続可能であり、少なくとも１つのエネルギー貯蔵装置からのエネルギーを使用して、昼間の時間の間に動作するように構成された少なくとも１つの非照明関連負荷と、を含む照明器具が提供される。
【００１８】
一実施形態では、少なくとも１つの非照明関連負荷は、少なくとも１つのＤＣ負荷を含む。
【００１９】
別の実施形態では、第２のコンバータが、エネルギー貯蔵装置からのエネルギー供給を少なくとも１つの非照明関連負荷のために変換するために提供され得る。この場合は、少なくとも１つの非照明関連負荷は、少なくとも１つのＡＣ負荷を含む。
【００２０】
ＤＣおよびＡＣの非照明関連負荷のうちの少なくとも１つのためにエネルギー供給を提供することが可能であることが容易に理解されるであろう。
【００２１】
本考案をよりよく理解するために、ここで、例として添付の図面を参照する。
【図面の簡単な説明】
【００２２】
【図１】本考案による照明器具アセンブリの支持ポールの側面図を例示する。
【図２】ＤＣ非照明関連負荷に電力供給するための本考案の第１の実施形態のブロック図を例示する。
【図３】ＡＣ非照明関連負荷に電力供給するための本考案の第２の実施形態のブロック図を例示する。
【図４】ＡＣおよびＤＣの非照明関連負荷の両方に電力供給するための本考案の第３の実施形態のブロック図を例示する。
【考案を実施するための形態】
【００２３】
本考案は、特定の実施形態に関しておよび特定の図面を参照して説明されるが、本考案は、それらに限定されるものではない。説明される図面は、概略的なものに過ぎず、限定的なものではない。図面では、要素のうちのいくつかのサイズは、説明のために誇張されており、縮尺通りに描かれていない場合がある。
【００２４】
本考案は、照明器具を暗い時間の間オンにし、昼間の時間の間にはオフにするように動作する照明専用主電源スイッチ切替主電源網に接続された照明器具を参照して以下に説明される。照明器具は、支持ポール上に取り付けられた、各モジュールは所定の機能を有する複数のモジュールを有するモジュール式照明器具アセンブリか、または従来の照明器具が支持ポール上に取り付けられた照明ヘッドを含むことができる。
【００２５】
特に、本考案は、照明専用主電源スイッチ切替主電源網がスイッチオフされている少なくとも昼間の時間の間に電力供給される必要のある非照明関連負荷のために電力を提供することに関する。いくつかの非照明関連負荷はまた、電源における中断なしに、１日２４時間、電力供給される必要がある場合があることが理解されるであろう。かかる電源は、照明器具自体にではなく、照明器具に関連する補足的な負荷または非照明関連負荷のみに電力供給するために使用されるバッテリを含み得る。
【００２６】
加えて、本考案は、照明関連および非照明関連の機能の両方を含む最新の照明器具を、照明専用主電源スイッチ切替主電源網のみが使用可能な既存のインフラストラクチャに設置することを可能にする。
【００２７】
図１は、その上に複数のモジュール１２０が取り付けられた支持ポール１１０を含むモジュール式照明器具アセンブリ１００を例示し、各モジュールは、ケーシングを含み、支持ポール１１０の一部を事実上形成している。例示される実施形態では、複数のモジュールは、モジュールコネクタ１６０、１７０によって互いに、モジュールコネクタ１８０によって支持ポール１１０に接続された、第１の照明器具モジュール１３０、第２の照明器具モジュール１４０、および第３の照明器具モジュール１５０を含む。示されるように、モジュールコネクタ１６０は、第１のモジュール１３０と第２のモジュール１４０とを接続し、モジュールコネクタ１７０は、第２のモジュール１４０と第３のモジュール１５０とを接続し、モジュールコネクタ１８０は、第３モジュール１５０を支持ポール１１０に接続する。モジュールコネクタ１６０、１７０、１８０の動作は、以下でより詳細に説明される。
【００２８】
各照明器具モジュール１３０、１４０、１５０は、好ましくは、それらを通じてケーブルを隣接するモジュールに通すことができる通路（図示せず）を含み、例えば、同軸ケーブルは、信号の損失を作り出し得る接続を形成するのは高価であるため、照明器具モジュールを通じて通されるであろう。加えて、各照明器具モジュールは、間に電気接続を提供するための１つ以上の電気コネクタを有し得る。
【００２９】
モジュール１３０は、最も軽いため、図１に示されるように、モジュール式照明器具アセンブリ１００の最上部のモジュールを形成する。モジュール１３０は、断面が実質的に円形であり、第１（または頂部もしくは上部）の部分、モジュールコネクタを使用して別のモジュールに接続可能な第２（または底部もしくは下部）の部分、および第１と第２の部分の間の第３（または中央）の部分を含む。第２の部分は、コネクタ部分（図示せず）を含み、これは、別のモジュール（同様に図示せず）の対応するコネクタ部分に接続可能である。中央の部分は、軽量透明ポリマー材料、例えば、ポリカーボネートで作製されたケーシングを含むことができ、透明ポリマー製ケーシングを透過することができる光を提供するための発光ダイオード（ＬＥＤ）アレイ（図示せず）を含み得る。
【００３０】
当然のことながら、ポリマー材料のタイプは、その光学特性のために、ならびに屋外配置で使用されるときのその耐久性および紫外線（ＵＶ）放射に対する耐性のために選択される。
【００３１】
他の実施形態では、ケーシングを作製するポリマー材料は不透明であっても透明であってもよく、非照明関連機能または負荷（同様に図示せず）、例えば、Ｗｉ−Ｆｉトランシーバモジュール、拡声器モジュール、１つ以上のカメラモジュール、ビデオ監視モジュールなどを含むこともできる。加えて、ケーシングを作製する材料は、ポリマー材料に限定されず、任意の他の好適な軽量かつ安価な材料を含むことができる。
【００３２】
第１の部分は、各モジュール式照明器具アセンブリの特定の用途に従って、アンテナ用の開口（図示せず）を含み得る。かかるアンテナは、上記のとおり、支持ポール１１０内および他の照明器具モジュール内に提供された通路を通って延在する同軸ケーブルに接続される。
【００３３】
上記のように、第２の部分は、隣接するモジュール、例えば、モジュール１４０内に提供された相補的なコネクタ部分またはインターフェース（図示せず）に係合し、モジュールコネクタ１６０によってともに保持されるコネクタ部分またはインターフェースを含む。
【００３４】
モジュール１４０は、実質的に円形の断面を有する、ポリカーボネートなどの透明ポリマー材料で作製された第１の部分１４０ａとアルミニウムなどの金属材料で作製された第２の部分１４０ｂとに分割されたケーシングを含む。かかる分割をケーシング内に有することによって、光を、第１の部分１４０ａが対向する角度によって画定される所定の方向に向けることができる。この場合、モジュール１４０は、第１の部分１４０ｂによる透過のための光を提供するＬＥＤアレイ（図示せず）を含み得る。上述のように、透明ポリマー材料は、特定の特性を有するように意図されるものである。
【００３５】
非照明関連機能については、ケーシングを作製するポリマー材料は、不透明であっても透明性がなくてもよい。加えて、ケーシングを作製する材料は、ポリマー材料に限定されず、任意の他の好適な軽量かつ安価な材料を含むことができる。
【００３６】
コネクタ部分またはインターフェース（図示せず）は、第１（または頂部もしくは上部）の端部１４０ｃおよび第２（または底部もしくは下部）の端部１４０ｄに提供される。相補的なコネクタ部分またはインターフェースは、モジュールコネクタ１７０によってともに保持される。
【００３７】
モジュール１５０は、中に１つ以上のＬＥＤアレイが提供され得る、実質的に円形の断面を有するケーシングを含むことができる。かかるＬＥＤアレイは、一色のみのＬＥＤ素子を有する単一のアレイ、視覚的効果を提供するため、または信号の目的のため、１つ以上の所定のパターンで切り替えることができる２色以上、例えば、ＲＧＢ（赤／緑／青）のＬＥＤ素子を有する単一のアレイを含み得る。この場合、ケーシングは、それを通してＬＥＤ素子からの光を透過させることができる透明または半透明の材料のポリマー材料を含み得る。
【００３８】
モジュール１５０は、図１に示されるように、モジュールの下部端部（もしくは底部端部）に形成されたコネクタ部分またはインターフェース、および支持ポール１１０の上部端部（もしくは頂部端部）に形成された相補的なコネクタ部分またはインターフェースを介して、支持ポール１１０に取り付けられる。相補的なコネクタ部分またはインターフェースは、モジュールコネクタ１８０によってともに保持される。
【００３９】
３つの照明器具モジュールおよび３つのモジュールコネクタが図１に示されているが、任意の適切な数の照明器具モジュールが支持ポール上に取り付けられ、対応する数のモジュールコネクタによって互いにおよび支持ポールに接続され得ることが容易に理解されるであろう。
【００４０】
加えて、少なくとも１つの照明器具モジュールは、照明の提供とは無関係である機能を有し得るか、または上記のような照明関連と照明非関連の機能の組み合わせを有し得る。
【００４１】
モジュール式照明器具アセンブリは、モジュールを支持ポールの頂部に取り付けることを可能にするインターフェースを提供するために、支持ポール上に取り付けるように動作可能な支持モジュールをさらに含み得る。かかる支持モジュールは、モジュールと同じ直径のポールまたはモジュールのそれと異なる直径のポールのいずれかに取り付けるように適合され得る。
【００４２】
特定の領域では、照明器具の機能のさらなる拡張のために、および／または照明器具の高さの均一性のために、空モジュールもまた提供され得る。
【００４３】
本考案は、昼間の時間の間に非照明関連負荷のために電力を提供することに関連して以下に説明されるが、非照明関連負荷もまた、暗い時間の間に電力供給される必要があり、本考案は同様に、暗い時間の間に非照明関連負荷に電力を提供するために使用され得ることが容易に理解されるであろう。
【００４４】
ここで図２に移ると、照明専用スイッチ切替主電源網２２０に接続された照明器具光エンジン２１０を含む照明器具２００のブロック図が示されている。図２では詳細に示されていないが、照明器具２００は、その中に少なくとも１つの照明器具モジュールが提供され、支持ポール上に取り付け可能な、図１に関連して説明されたモジュール式照明器具アセンブリを含み得る。別の実施形態では、照明器具は、支持ポール上に取り付けられた照明ヘッドを含む非モジュール式照明器具アセンブリを含み得る。いずれの実施形態においても、照明器具の照明機能は、照明専用スイッチ切替主電源網２２０の切り替えによって、スイッチオンおよびスイッチオフされる。
【００４５】
照明専用スイッチ切替主電源網２２０は、電力グリッド（図示せず）に接続され、少なくとも１つの所定の調光プロファイルに従って照明器具光エンジン２１０をスイッチオンおよびスイッチオフするように動作する。かかる所定の調光プロファイルは、関連する時計に従って照明器具に関するオン時刻およびオフ時刻に単純に対応することができ、オン時刻およびオフ時刻は、照明器具光エンジン２１０が、暗い時間の間にはオンであり照明を提供し、昼間の時間の間にはオフであるように、季節に従って調整される。調光プロファイルはまた、センサ入力が所定の調光プロファイルを修正するために利用することができる点で、より複雑である場合があり、例えば、検知された周囲照明条件に従って通常のオン時刻およびオフ時刻の範囲を越えて照明レベルを調整するためにフォトセルが使用されることができ、または照明器具の近傍における運動の存在を検知する運動センサが、より良好な（一時的な）照明のために、照明器具光エンジン２１０によって生成される照明強度を変化（増加）させる。
【００４６】
示されるように、照明専用スイッチ切替主電源網２２０はまた、バッテリ２４０に接続されたＡＣ／ＤＣ降圧コンバータ２３０にも接続される。ＡＣ／ＤＣ降圧コンバータ２３０は、約２３０Ｖおよび５０Ｈｚの主電源ＡＣ電圧を、バッテリ２４０を充電することができる好適なＤＣ電圧に変換する電圧変圧器および整流器を含む。
【００４７】
バッテリ２４０は、ＤＣ非照明関連負荷に接続され、その動作のために電力を供給する。たった１つのＤＣ非照明関連負荷のみが示されているが、バッテリ２４０によって電力供給される２つ以上のかかるＤＣ非照明関連負荷が存在し得ることが理解されるであろう。
【００４８】
バッテリ２４０は、バッテリ２４０内に貯蔵されたエネルギーを、照明専用スイッチ切替主電源網がオフである昼間の時間の間に非照明関連機能のために使用することができるように、照明器具照明エンジン２１０が、暗い時間の間に、オンのときに照明専用スイッチ切替主電源網２２０によって充電される再充電可能なバッテリを含む。再充電可能なバッテリは、単一の再充電可能なエネルギーセル、または複数の再充電可能なエネルギーセルを含むバッテリパックを含み得る。加えて、２つ以上の再充電可能なバッテリをＡＣ／ＤＣ降圧コンバータ２３０に、各充電可能なバッテリが１つ以上のＤＣ非照明負荷（複数可）に電力を提供するように接続された状態で、接続することができる。
【００４９】
各ＤＣ非照明負荷が専用の再充電可能なバッテリを有し得ること、または各再充電可能なバッテリが２つ以上のＤＣ非照明負荷に電力供給することが容易に理解されるであろう。
【００５０】
一実施形態では、上記のように単一のバッテリ２４０に接続された単一のＡＣ／ＤＣ降圧コンバータ２３０が提供される。別の実施形態では、その各々が上記のようにバッテリ２４０に接続される、２つ以上のＡＣ／ＤＣ降圧コンバータ２３０を提供することができる。
【００５１】
バッテリ２４０は、一連の再充電可能なバッテリ素子を含むことができ、各バッテリ素子は、今度は、各バッテリ素子が同時に充電および放電されないように、非照明関連負荷に電力を供給するように接続される。これは、非照明関連負荷がまだバッテリによって電力供給されている暗い時間の間の場合である。代替的な一実施形態では、一連の再充電可能なバッテリ素子は、例えば、非照明関連負荷が暗い時間の間に電力供給される必要がある場合に、同時に充電されおよび放電することができる。
【００５２】
上記のように、非照明関連負荷は、昼間の時間の間および暗い時間の間の両方においてバッテリ２４０から電力供給される。しかしながら、昼間の時間の間のみバッテリ２４０を非照明負荷に電力を提供するために使用することができ、ＡＣ／ＤＣ降圧コンバータ２３０を介して暗い時間の間、電力を非照明関連負荷に照明専用スイッチ切替主電源網２２０から直接供給することができる（図示せず）ことが理解されるであろう。
【００５３】
本考案は、昼間の時間の間にＤＣ非照明負荷に電力供給することに限定するものではなく、これらの時間の間にＡＣ非照明負荷に電力供給するために使用することもできる。この場合は、バッテリから供給されたＤＣ電圧をＡＣ電圧に変換するために、昇圧コンバータが必要とされるであろう。これは、図３で示される。先に説明された構成要素は、同じ参照番号を有する。
【００５４】
図３では、ＡＣ主電源非照明関連負荷に電力供給するために貯蔵されたエネルギーを使用する照明器具３００が示されている。照明器具３００は、照明専用スイッチ切替主電源網２２０に接続された照明器具光エンジン２１０と、バッテリ２４０に接続されたＡＣ／ＤＣ降圧コンバータ２３０とを含む点で、照明器具２００と同様である。これらの構成要素については上で説明されているため、ここで再び詳細には説明されない。
【００５５】
照明器具３００はまた、ＤＣ／ＡＣ昇圧コンバータ３６０を介してバッテリ２４０によって電力供給されるＡＣ主電源非照明関連負荷３５０を含む。ＤＣ／ＡＣ昇圧コンバータは、バッテリ２４０からのＤＣ電圧をＡＣ非照明関連負荷によって必要とされるＡＣ電圧に変換するための電力インバータおよび変圧器を含み得る。
【００５６】
ＤＣ／ＡＣ昇圧コンバータ３６０は、昼間の時間の間、ＡＣ非照明関連負荷にバッテリ２４０から電力供給するために必要とされるが、照明専用スイッチ切替主電源網２２０がスイッチオンされている暗い時間の間は、ＡＣ非照明関連負荷は、バッテリ２４０から電力供給される必要なしに、主電源網から直接電力供給され得ることが容易に理解されるであろう。
【００５７】
照明器具は、図２および３で例示される照明器具の組み合わせを含み得ることが容易に理解されるであろう。かかる照明器具４００は、図４に示されている。図２および３を参照して上で説明される構成要素は、同じ参照番号を有しており、ここで再び詳細には説明されない。
【００５８】
照明器具２００、３００、４００は、それらの中に位置するすべての構成要素を有するものとして説明されているが、構成要素のうちのいくつか、例えば、照明関連機能を提供する照明器具光エンジンは、照明器具内に位置する必要がある一方、他のものは照明器具の外側に位置するが、それに関連付けられ得ることが容易に理解されるであろう。例えば、照明器具の一群には、バッテリに接続された単一のＡＣ／ＤＣコンバータを提供することができ、各照明器具は、その関連するＤＣ非照明関連負荷に電力を供給するためのバッテリに接続することができる。同様に、非照明関連負荷がＡＣ負荷を含む場合、各照明器具は、それを通じてＤＣバッテリ電圧がＡＣ非照明関連負荷のためにＡＣ電圧に変換される、ＤＣ／ＡＣ昇圧コンバータに関連付けることができる。
【００５９】
任意の他の好適な構成要素の配分が可能であることが容易に理解されるであろう。
【００６０】
本考案をエネルギー貯蔵装置としての１つ以上の再充電可能なバッテリに関連して説明してきたが、他の形態のエネルギー貯蔵装置、例えば、特定の実装に従って、スイッチオンされたときに照明専用スイッチ切替主電源網から電気エネルギーを貯蔵し、昼間の時間の間および／または暗い時間の間にエネルギーを非照明関連負荷に供給することができるスーパーキャパシタを使用することができることが理解されるであろう。
【図１】
0003217804.tif 000003
【図２】
0003217804.tif 000004
【図３】
0003217804.tif 000005
【図４】
0003217804.tif 000006
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
照明専用スイッチ切替主電源網（lighting dedicated switched mains network）からの供給に接続可能な照明器具であって、
前記照明専用スイッチ切替主電源網とともに、少なくとも暗い時間の間にはオンに、昼間の時間の間にはオフに切り替えられるように構成された照明器具光エンジンと、
前記照明専用スイッチ切替主電源網からの前記供給に接続可能な少なくとも１つのエネルギー貯蔵装置と、
前記照明専用スイッチ切替主電源網からの前記供給を前記少なくとも１つのエネルギー貯蔵装置と適合する充電電源に変換するための第１のコンバータと、
前記少なくとも１つのエネルギー貯蔵装置に接続可能であり、前記少なくとも１つのエネルギー貯蔵装置からのエネルギーを使用して、昼間の時間の間に動作するように構成された少なくとも１つの非照明関連負荷と、
を含む、照明器具。
【請求項２】
前記少なくとも１つの非照明関連負荷が、少なくとも１つのＤＣ負荷を含む、請求項１に記載の照明器具。
【請求項３】
前記エネルギー貯蔵装置からのエネルギー供給を前記少なくとも１つの非照明関連負荷のために変換するための第２のコンバータをさらに含む、請求項１または２に記載の照明器具。
【請求項４】
前記少なくとも１つの非照明関連負荷が、少なくとも１つのＡＣ負荷を含む、請求項３に記載の照明器具。
【請求項５】
前記照明器具が街灯である、請求項１〜４のいずれか一項に記載の照明器具。
【請求項６】
前記照明器具が支持ポールを含む、請求項１〜５のいずれか一項に記載の照明器具。
【請求項７】
前記照明器具が複数のモジュールを含むモジュール式照明器具アセンブリを含む、請求項１〜６のいずれか一項に記載の照明器具。
【請求項８】
前記モジュールが支持ポールに取り付けられている、請求項７に記載の照明器具。
【請求項９】
各モジュールがケーシングを含み、前記支持ポールの一部を事実上形成している、請求項８に記載の照明器具。
【請求項１０】
前記モジュールを互いに接続し、前記モジュールの１つを前記支持ポール接続するモジュールコネクタを含む、請求項９に記載の照明器具。
【請求項１１】
各照明器具モジュールが、ケーブルを隣接するモジュールに通すことができる通路を含む、請求項７〜１０のいずれか一項に記載の照明器具。
【請求項１２】
いくつかの照明器具モジュールを通じて通される同軸ケーブルをさらに含む、請求項１１に記載の照明器具。
【請求項１３】
前記同軸ケーブルに接続されるアンテナをさらに含む、請求項１２に記載の照明器具。
【請求項１４】
各照明器具モジュールが、電気接続を提供するための１つ以上の電気コネクタを有する、請求項７〜１３のいずれか一項に記載の照明器具。
【請求項１５】
前記少なくとも１つの非照明関連負荷がＷｉ−Ｆｉトランシーバモジュール、拡声器モジュール、１つ以上のカメラのモジュール、ビデオ監視モジュール、またはカメラである、請求項１〜１４のいずれか一項に記載の照明器具。